(57)【特許請求の範囲】
【請求項１】
容器の開口部を開閉する蓋体と、この蓋体の上面に露出するプッシュボタンと、前記蓋体内に組み込んだエアポンプと、前記プッシュボタンの外側に組み込まれ、該プッシュボタンの押し込みが阻止されるロック位置および押し込みが許容されるロック解除位置に回転操作されるロックリングとを備え、前記エアポンプを、前記プッシュボタンを押すことによりベローズを収縮させ、そのベローズ内から前記容器内に空気を吐出してその容器内を加圧し、その加圧によって容器内の液体を揚水管を介して前記容器外に送り出す機構としたエアポットにおいて、前記蓋体の外殻周側部が形成された上蓋に、その外殻周側部の内側から延長してリング受けを形成し、このリング受けに前記ロックリングを載せて回転自在に支持させ、
前記上蓋を、前記外殻周側部が形成され、前記リング受けが上面に露出する蓋リング部材と、前記プッシュボタンを露出させるボタン昇降孔が上下に開放された上カバー部材の結合体としたことを特徴とするエアポット。
【請求項２】
前記リング受けを、前記ロックリングを下から受ける横壁と、この横壁と前記外殻周側部とを繋ぐ接続壁と、前記横壁から上側に突き出た案内壁とから形成し、前記リング受けの前記案内壁と前記ロックリングの内周の摺動により該ロックリングを径方向に案内し、前記リング受けに載せた前記ロックリングの外周と前記接続壁との間の径方向隙間を上方に開放させ、前記接続壁と前記上カバー部材とを上下に係合させ、その係合部の下方で前記リング受けの前記横壁を断絶させた請求項１に記載のエアポット。
【請求項３】
前記ベローズの上端が密着されるベローズ上受け部材の外周の一部に、外径側に突き出た係合片を設け、前記蓋体内の固定部に前記係合片の昇降経路両側に位置するように回り止め壁を設け、前記プッシュボタンを前記ベローズ上受け部材に載せ、そのベローズ上受け部材とプッシュボタンとを、前記係合片より内径側で係合させることにより該プッシュボタンを回り止めした請求項１又は２に記載のエアポット。
【発明の詳細な説明】
【技術分野】
【０００１】
この発明は、プッシュボタンを押すことによりベローズを収縮させて容器内に空気を吐出してその容器内を加圧し、その加圧によって容器内の液体を揚水管を介して外部に送り出すエアポンプを蓋体に組み込んだエアポットに関する。
【背景技術】
【０００２】
この種のエアポットは、容器の開口部を開閉する蓋体を有している。蓋体は、エアポンプを組み込むため、上蓋と下蓋とに分割されている。一般に、上蓋は、蓋体の外殻周側部及び上端部を構成しており、下蓋は、上蓋の外殻周側部の内側で上蓋と組み合わされるようになっている。下蓋と上蓋の合せ目を外から隠すためである。プッシュボタンの押圧面が上蓋の上面に露出している。エアポンプは、プッシュボタンを押すことによりベローズを収縮させ、そのベローズ内から容器内に空気を吐出してその容器内を加圧し、その加圧によって容器内の液体を揚水管を介して容器外に送り出す機構になっている。蓋体には、不意にプッシュボタンが押し込まれることを防止するためのロック装置も組み込まれている。
【０００３】
従来、前記ロック装置としては、図８に示すように、下蓋８１上に構成されており、プッシュボタン８２、ベローズセットのベローズ上受け部材の係合片８３、下蓋８１の回り止め壁８４、プッシュボタン８２の押し込みを阻止するロック位置と、押し込みを許容するロック解除位置とに回転操作可能なロックリング８５とからなるものが利用されている（特許文献１）。
前記ベローズ上受け部材は、ベローズの上端が密着される部材であり、係合片８３は、ベローズ上受け部材の外周の一部に外径側に突き出るように設けられている。プッシュボタン８２は、ベローズ上受け部材を内包するように被せられ、そのプッシュボタン８２の周側一部に下端から形成された切欠き部がベローズ上受け部材の係合片８３の付け根に嵌っている。これにより、プッシュボタン８２とベローズ上受け部材とは、ロックリング８５の回転方向に関して一体に運動するよう連結されている。
ロックリング８５は、プッシュボタン８２の外側に配置され、下蓋８１上に載置されている。ベローズ上受け部材の係合片８３は、ロックリング８５の回転方向の規制孔８６を貫通している。規制孔８６は、係合片８３の下降を阻止するロック位置域８６ａと、係合片８３の下降を許容するロック解除域８６ｂとからなる。ロックリング８５は、回転操作時に下蓋８１の上面を摺動する。このとき、ロックリング８５は、下蓋８１の上面に形成された円筒壁８７とそのロックリング８５の外周との摺動により、径方向に案内（すなわち、回転軸の芯出し）される。ロックリング８５の上動は、上蓋８８の下端で規制されている。
下蓋８１の上面には、回り止め壁８４が、プッシュボタン８２の操作に伴うベローズの収縮により係合片８３が昇降する経路の両側に位置するように設けられている。ベローズ上受け部材の係合片８３と、固定部である回り止め壁８４との回転方向の係合により、プッシュボタン８２及びベローズセットは、ロックリング８５の回転に引き摺られて回転することがないように回り止めされている。
上記のロック装置は、ロックリング８５のつまみを利用した回転操作を行うだけで、係合片８３をロック位置域８６ａとロック解除域８６ｂとの間で相対的に移動させることができるので、操作性に優れている。
【０００４】
【特許文献１】特開平１０−１７９４２２号公報
【発明の開示】
【発明が解決しようとする課題】
【０００５】
しかしながら、下蓋８１は、蓋体の上下方向のコンパクト化、部品数の抑制のため、合成樹脂の板状一体成形品とされており、経時変形で想定以上の上反りや下反りが生じ得る。図８に示すロック装置は、ロックリング８５が下蓋８１の上面を摺動するため、前記の反りが生じると、ロックリング８５の回転操作が重くなり、操作不良を招く問題がある。
【０００６】
上記の事情に鑑み、この発明の課題は、プッシュボタンのロックとロック解除を行なうロックリングの回転操作に蓋体の経時変形による影響を及び難くすることである。
【課題を解決するための手段】
【０００７】
前記課題を解決するこの発明は、容器の開口部を開閉する蓋体と、この蓋体の上面に露出するプッシュボタンと、前記蓋体内に組み込んだエアポンプと、前記プッシュボタンの外側に組み込まれ、該プッシュボタンの押し込みが阻止されるロック位置および押し込みが許容されるロック解除位置に回転操作されるロックリングとを備え、前記エアポンプを、前記プッシュボタンを押すことによりベローズを収縮させ、そのベローズ内から前記容器内に空気を吐出してその容器内を加圧し、その加圧によって容器内の液体を揚水管を介して前記容器外に送り出す機構としたエアポットを前提とする。
上記のように、プッシュボタンの押し込みでポンプ操作を行い、そのプッシュボタンのロックとロック解除をロックリングの回転操作だけで行えるようにするためである。
【０００８】
この発明は、前記蓋体の外殻周側部が形成された上蓋に、その外殻周側部の内側から延長してリング受けを形成し、このリング受けに前記ロックリングを載せて回転自在に支持させた構成を特徴とする。
この発明の構成によれば、蓋体の外殻周側部が形成された上蓋は、全周に亘る外殻周側部により上下方向の反り変形に対して剛性に優れる。そのような上蓋側のリング受けにロックリングを載せるので、下蓋の反りの影響を無視し得る程度まで軽減させることができる。その高剛性部である外殻周側部の内側から延長してリング受けを形成し、そのリング受けにロックリングを載せて回転自在に支持させたため、蓋体の経時変形による上下方向の反り変形の影響はリング受けに及び難い。したがって、ロックリングの回転操作に、蓋体の経時変形による影響が及び難くなる。
【０００９】
前記上蓋は、一体成形品でもよいが、この場合、上蓋の下方から、外殻周側部の内側から延長したリング受け上にロックリングを載せることになる。これには、リング受けを外殻周側部の周方向の１８０度配置の２箇所で部分的に断絶させ、その２箇所の断絶部に、ロックリングを外周を上下に向けた縦姿勢で通過させた後、ロックリング外周を水平に寝かすことが考えられるが、ロックリングや分割リング片を寝かす姿勢転換スペースを上蓋内に要し、蓋体の嵩がないと採用することができない。
【００１０】
前記上蓋を、前記外殻周側部が形成され、前記リング受けが上面に露出する蓋リング部材と、前記プッシュボタンを露出させるボタン昇降孔が上下に開放された上カバー部材の結合体とすれば、リング受けに、ロックリングを簡単に載せることができる。
【００１１】
ここで、前記リング受けを、前記ロックリングを下から受ける横壁と、この横壁と前記外殻周側部とを繋ぐ接続壁と、前記横壁から上側に突き出た案内壁とから形成し、前記リング受けの前記案内壁と前記ロックリングの内周の摺動により該ロックリングを径方向に案内すれば、リング受けに載せたロックリングの外周を摺動させる必要がなく、前記リング受けに載せた前記ロックリングの外周と前記接続壁との間に径方向隙間を設定し、その径方向隙間を上方に開放させることができる。その径方向隙間には、上カバー部材の下面側の一部を、その径方向隙間に挿入することができる。
その挿入により、前記接続壁と前記上カバー部材とを上下に係合させれば、上カバー部材と蓋リング部材の結合や結合強化を行なうことができる。これら結合等においては、接続壁の係合部付近に上下方向の引っ張り応力が生じる。
その係合部の下方でリング受けの横壁を断絶させておけば、前記引っ張り応力の影響が横壁に及ぶことを避け、横壁の変形を防止することができる。
【００１２】
前記ベローズの上端が密着されるベローズ上受け部材の外周の一部に、外径側に突き出た係合片を設け、前記蓋体内の固定部に前記係合片の昇降経路両側に位置するように回り止め壁を設ければ、ベローズ上受け部材を回り止めすることができる。
前記固定部としては、下蓋、上蓋、他の組み込み固定部材を利用することができる。
前記プッシュボタンを前記ベローズ上受け部材に載せ、そのベローズ上受け部材とプッシュボタンとを、前記係合片より内径側で係合させることにより該プッシュボタンを回り止めすれば、プッシュボタンとロックリングの相対回転位置ずれを防止しつつ、プッシュボタンを小型にすることができる。すなわち、プッシュボタンをベローズ上受け部材上に載せ、係合片より内側に係合するため、プッシュボタンの外周を、ベローズ上受け部材の外周一部である係合片を利用して回り止めする場合よりも小さくすることができる。
【発明の効果】
【００１３】
上述のように、この発明に係るエアポットは、上蓋側のリング受けにロックリングを載せることで下蓋の上下の反り変形の影響を無視し得、上蓋の特に上下方向の反り変形に対する高剛性部から延長してリング受けを形成したため、プッシュボタンのロックとロック解除を行なうロックリングの回転操作に蓋体の経時変形による影響を及び難くすることができる。
【発明を実施するための最良の形態】
【００１４】
以下、この発明の実施形態に係るエアポットを添付図面に基づいて説明する。
図１に示すように、このエアポットは、蓋体１をヒンジ２で容器に対して開閉自在としている。容器には、内容器３と外容器４とからなる真空二重容器に肩部材５を取り付けたものが利用されている。なお、断熱容器に限る必要はない。蓋体１には、この開閉ロックを解除するための蓋体開放ボタン６を設けてある。肩部材５に、蓋体１のヒンジ２を揺動自在に支持するヒンジ受け７が設けられている。
【００１５】
蓋体１は、エアポンプ等を組み込むため、上蓋１１と下蓋１２とに分割されている。
上蓋１１は、蓋体１の外殻周側部及び上端部を構成している。
下蓋１２は、上蓋１１の外殻周側部の内側で上蓋１１と組み合わされるようになっている。なお、下蓋１２は、合成樹脂の一体射出成形品とされている。単一部品化のためである。
【００１６】
図１、図２に示すように、エアポンプは、蓋体１内に組み込まれたプッシュボタン１３と、吸気弁を構成する押下部材１４と、ベローズ上受け部材１５と、ベローズ１６と、ベローズ下受け部材１７等からなる。プッシュボタン１３の押圧面が上蓋１１の上面に露出している。このエアポンプは、プッシュボタン１３をスプリング１８の付勢力に抗して押し込んで、押下部材１４及びベローズ上受け部材１５を介してベローズ１６を収縮させ、このベローズ１６内の空気を、吐出管１９を通じて内容器３に吐出する。この空気の吐出によって内容器３内を加圧し、この加圧によって内容器３内の液体を、内容器３内に挿し込んだ揚水管２０及び送出管２１を通って容器外に送出する機構になっている。
【００１７】
ベローズ上受け部材１５の外周の一部に、外径側に突き出る係合片１５ａが設けられている。蓋体１内の固定部として、下蓋１２の上面に、係合片１５ａの昇降経路両側に位置するように回り止め壁１２ａが一体に設けられている。このため、ベローズ上受け部材１５は、昇降位置にかかわらず、係合片１５ａと回り止め壁１２ａにより、上下軸回りに関する回り止めがなされている。
【００１８】
プッシュボタン１３は、ベローズ上受け部材１５上に載せられている。図３に示すように、プッシュボタン１３の周側一部に下端から上側に向かって切欠き部１３ａ、１３ａ、１３ａが形成されている。一方、図２に示すように、ベローズ上受け部材１５の上面中央部に、プッシュボタン１３の周側が嵌る環状部１５ｂが上方に突き出ており、プッシュボタン１３を環状部１５ｂに被せることでベローズ上受け部材１５に対して径方向及び下方向に位置決めするようになっている。その環状部１５ｂの外周に、係合片１５ａより内側に位置するリブ１５ｃが切欠き部１３ａ、１３ａ、１３ａに対応する周方向配置で外径側に突き出ている。これらリブ１５ｃに切欠き部１３ａが嵌り、これらの係合により、プッシュボタン１３とベローズ上受け部材とが上下軸回りの回転方向に連結されている。このため、プッシュボタン１３の外周は、ベローズ上受け部材１５の係合片１５ａを利用して回り止めする場合よりも小さくなっている。
【００１９】
図１、図４、図５に示すように、プッシュボタン１３の外側には、プッシュボタン１３の押し込みが阻止されるロック位置および押し込みが許容されるロック解除位置に回転操作されるロックリング３１が組み込まれている。ロックリング３１は、上蓋１１の外殻周側部の内側から延長することで形成されたリング受け３２に載せられている。
【００２０】
リング受け３２に載せられたロックリング３１は、プッシュボタン１３と同軸に、かつ、上下軸回りに回転自在に支持されている。蓋体１の上面に露出するロックリング３１の操作つまみ３１ａを摘んで上下軸回りにロックリング３１をロック位置とロック解除位置の間で回転させることができる。
図６（ａ）に示すように、ロック位置は、ロックリング３１の内周に内径側に突設されたロック片３１ｂ、３１ｂ、３１ｂ（図５、図７も参照のこと）がプッシュボタン１３の係合部１３ｂの下方にある位置となっている。
図６（ｂ）に示すように、ロック解除位置は、ロック片３１ｂ、３１ｂ、３１ｂが対応するプッシュボタン１３の外周の逃げ溝１３ｃ、１３ｃ、１３ｃの下方に位置し、係合部１３ｂの下方から外れた位置となっている。このため、プッシュボタン１３を押し込むと、各ロック片３１ｂが対応する逃げ溝１３ｃを通り、プッシュボタン１３の下死点まで押し込むことができる。プッシュボタン１３の昇降時、各ロック片３１ｂと逃げ溝１３ｃの内面によりプッシュボタン１３が上下方向に案内されている。
【００２１】
より具体的には、図１、図４、図５に示すように、上蓋１１は、蓋体１の外殻周側部が形成された蓋リング部材３３と、プッシュボタン１３を露出させるボタン昇降孔３４が上下に開放された上カバー部材３５の結合体とされている。なお、蓋リング部材３３と上カバー部材３５は、それぞれ合成樹脂の一体射出成形品とされている。単一部品化のためである。
【００２２】
リング受け３２は、ロックリング３１を下から受ける横壁３２ａと、この横壁３２ａと蓋体１の外殻周側部とを繋ぐ接続壁３２ｂと、横壁３２ａから上側に突き出た案内壁３２ｃとから形成されている。蓋リング部材３３は、リング受け３２が上面に露出するように形成されている。このため、ロックリング３１を蓋リング部材３３の内側に上方から組み入れ、リング受け３２の横壁３２ａ上に簡単に載せることができる。
【００２３】
リング受け３２に載せられたロックリング３１は、案内壁３２ｃとロックリング３１の内周の摺動により径方向に案内される。このため、リング受け３２に載せたロックリング３１の外周と接続壁３２ｂとの間に径方向隙間が設定されている。蓋リング部材３３は、その径方向隙間が上方に開放させられるように形成されている。
上カバー部材３５の下側に、上記径方向隙間に挿入される係合壁３６が形成されており、その係合壁３６に空いた係合孔３７、３７・・・が、その挿入により、リング受け３２の接続壁３２ｂに形成された爪状の係合部３８、３８・・・と上下に係合させられる。
上記係合孔３７と係合部３８の係合が周方向等配かつ複数箇所でなされることにより、蓋リング部材３３と上カバー部材３５とが上下にバランスよく結合され、上蓋１１が形成される。
【００２４】
上記の結合においては、接続壁３２ｂの各係合部３８付近に上下方向の引っ張り応力が生じるが、各係合部３８の下方でリング受け３２の横壁３２ａが断絶させられている。このため、前記引っ張り応力の影響が横壁３２ａに及ぶことが避けられ、横壁３２ａの変形が防止される。
【００２５】
なお、上記の係合構造は、爪と孔によるものでなく、爪と爪、爪と段差部等のように、上カバー部材３５の上方からの押し込みにより係合させられる構成であればよく、係合箇所の数、配置も所望の結合が得られる限り適宜に変更することができ、他の箇所に固定部を追加することもできる。
【００２６】
上記ロックリング３１等の組み込みの概要を述べる（図１、図２、図５を適宜に参照のこと）。上カバー部材３５が分離され、蓋リング部材３３と下蓋１２が結合され、ベローズ上受け部材１５、ベローズ１６、ベローズ下受け部材１７等を下蓋１２上に組み立てた状態にする。
ロックリング３１の内側にプッシュボタン１３を下方から通し、プッシュボタン１３の外周に突き出た抜け止め１３ｄ、１３ｄ、１３ｄをロックリング３１の下端に上下に引っ掛けたセットを組み立てる。なお、各抜け止め１３ｄは、ロックリング３１がロック位置、ロック解除位置のいずれにあるときもロックリング３１に掛るように設けられている。
そのセットを、蓋リング部材３３の上方から内側に入れ、ロックリング３１をリング受け３２に載せ、プッシュボタン１３をベローズ上受け部材１５の環状部１５ｂに嵌める。
上カバー部材３５を蓋リング部材３３の上方から近づけ、ロックリング３１の外周とリング受け３２の接続壁３２ｂの間に係合壁３６を挿入し、係合壁３６で上カバー部材３５を蓋リング部材３３に対して径方向に位置決めし、各係合孔３７を係合部３８に押し入れて上下に係合させる。これにより、上蓋１１が形成され、ロックリング３１の上動が上カバー部材３５の下端で規制される。また、ロックリング３１の下端と、プッシュボタン１３の抜け止め１３ｄ、１３ｄ、１３ｄとが上下に掛り、スプリング１８の付勢力に抗してプッシュボタン１３の抜け止めがなされる。
【００２７】
なお、上カバー部材３５は、ロックリング３１の操作つまみ３１ａを動かすための操作孔が形成されている。また、上蓋１１が形成された状態で、上カバー部材３５は、リング受け３２及びロックリング３１がプッシュボタン１３との間から目視されないように被さっている。
【００２８】
この実施形態は上記構成を有するものであり、蓋体１の外殻周側部が形成された蓋リング部材３３と上カバー部材３５の結合体からなる上蓋１１は、全周に亘る外殻周側部により上下方向の反り変形に対して剛性に優れる。そのような上蓋１１側の蓋リング部材３３のリング受け３２にロックリング３１を載せるので、下蓋１２の反りの影響を無視し得る程度まで軽減させることができる。その高剛性部である外殻周側部の内側から延長してリング受け３２を形成し、そのリング受け３２にロックリングを載せて回転自在に支持させたため、蓋体１の経時変形による上下方向の反り変形はリング受け３２に及び難い。したがって、ロックリング３１の回転操作に、蓋体１の経時変形による影響が及び難い。
【図面の簡単な説明】
【００２９】
【図１】実施形態に係るエアポットの要部縦断側面図
【図２】図１の蓋体のエアポンプの分解斜視図
【図３】図１のプッシュボタンを斜め下方から示した斜視図
【図４】左半分は図１の蓋体の正面図、右半分は図１の蓋体の縦断正面図
【図５】図１の蓋体の上蓋の分解斜視図
【図６】ａは、図１のロックリングがロック位置にある状態をロックリングの下方から示した部分拡大下面図、ｂは、図１のロックリングがロック解除位置にある状態をロックリングの下方から示した部分拡大下面図
【図７】図１のロックリングを斜め下方から示した斜視図
【図８】従来例のロックリングの全体構成を示す斜視図
【符号の説明】
【００３０】
１  蓋体
２  ヒンジ
３  内容器
４  外容器
５  肩部材
６  蓋体開放ボタン
７  ヒンジ受け
１１  上蓋
１２  下蓋
１２ａ  回り止め壁
１３  プッシュボタン
１３ａ  切欠き部
１３ｂ  係合部
１３ｃ  逃げ溝
１３ｄ  抜け止め
１４  押下部材
１５  ベローズ上受け部材
１５ａ  係合片
１５ｂ  環状部
１５ｃ  リブ
１６  ベローズ
１７  ベローズ下受け部材
１８  スプリング
１９  吐出管
２０  揚水管
２１  送出管
３１  ロックリング
３１ａ  操作つまみ
３１ｂ  ロック片
３２  リング受け
３２ａ  横壁
３２ｂ  接続壁
３２ｃ  案内壁
３３  蓋リング部材
３４  ボタン昇降孔
３５  上カバー部材
３６  係合壁
３７  係合孔
３８  係合部
【図１】
0004964749.tif 000002
【図２】
0004964749.tif 000003
【図３】
0004964749.tif 000004
【図４】
0004964749.tif 000005
【図５】
0004964749.tif 000006
【図６】
0004964749.tif 000007
【図７】
0004964749.tif 000008
【図８】
0004964749.tif 000009